(57)【要約】【課題】他の通信によりユーザ情報の送信を中断されることなく、ユーザ情報のバックアップ処理を行う。【解決手段】通話回線１０６を介して情報端末装置１０２と通信可能であって、ユーザ情報を受け取り、これを記憶するユーザ情報記憶装置１０１と、通話回線１０６を介して前記ユーザ情報記憶装置１０１と通信可能な情報端末装置１０２と、前記情報端末装置１０２と通信可能であって、前記ユーザ情報を受け取り、このユーザ情報を通話回線送信により可能な信号に変換し、前記信号を情報端末装置１０２に渡して、前記ユーザ情報記憶装置１０１に送信させるユーザ情報バックアップ装置１０３とを有する。【選択図】    図１
2004326385.tif 000002
【特許請求の範囲】
【請求項１】
情報端末装置に記憶されたユーザ情報のバックアップ情報を作成するためのユーザ情報バックアップシステムにおいて、
通話回線を介して情報端末装置と通信可能であって、ユーザ情報を受け取り、これを記憶するユーザ情報記憶装置と、
通話回線を介して前記ユーザ情報記憶装置と通信可能な情報端末装置と、
前記情報端末装置と通信可能であって、前記ユーザ情報を受け取り、このユーザ情報を通話回線送信可能な信号に変換し、前記信号を情報端末装置に渡して、前記ユーザ情報記憶装置に送信させるユーザ情報バックアップ装置とを有することを特徴とするユーザ情報バックアップシステム。
【請求項２】
請求項１に記載のユーザ情報バックアップシステムにおいて、
前記ユーザ情報バックアップ装置は、情報端末装置にユーザ認証情報をユーザ情報記憶装置にデータ専用回線を介して送信させ、
前記ユーザ情報記憶装置は、ユーザ認証情報を記憶し、ユーザ情報を受け取った場合このユーザ認証情報を参照してユーザ認証を行うことを特徴とするユーザ情報バックアップシステム。
【請求項３】
情報端末装置に格納されたユーザ情報をバックアップするためのユーザ情報バックアップ装置において、
情報端末装置からデータを受け取り、情報端末装置にデータを送るための通信手段と、
前記通信手段を介してユーザ情報を受け取り、これを保持するユーザ情報保持手段と、
前記ユーザ情報を変換して、通話回線を介して送信するための信号を生成するユーザ情報変換手段と、
前記送信信号を前記通信手段を介して情報端末装置に渡し、情報端末装置に通話回線を介して送信させる制御部と、を有することを特徴とするユーザ情報バックアップ装置。
【請求項４】
情報端末装置に格納されたユーザ情報をバックアップするためのユーザ情報バックアップ装置において、
情報端末装置からデータを受け取り、情報端末装置にデータを送るための通信手段と、
前記通信手段を介して、情報端末装置が通話回線を介して受信した信号を受け取り、これを逆変換してユーザ情報を得るユーザ情報逆変換手段と、
前記ユーザ情報逆変換手段からユーザ情報を受け取り、これを保持するユーザ情報保持手段と、
前記ユーザ情報保持手段から前記ユーザ情報を前記通信手段を介して情報端末装置に渡し、情報端末装置に記憶させる制御部と、を有することを特徴とするユーザ情報バックアップ装置。
【請求項５】
情報端末装置に格納されたユーザ情報をバックアップするためのユーザ情報のバックアップ方法において、
ユーザ情報を受け取るステップと、
前記ユーザ情報を変換して、通話回線を介して送信するための信号を生成するステップと、
前記送信信号を通話回線を介して送信させるステップと、を有することを特徴とするユーザ情報のバックアップ方法。
【請求項６】
情報端末装置に格納されたユーザ情報をバックアップするためのユーザ情報のバックアップ方法において、
ユーザ認証情報をデータ専用回線を介して受け取るステップと、
ユーザ認証情報を記憶するステップと、
ユーザ情報を受け取った場合前記ユーザ認証情報を参照してユーザ認証を行うステップと、を有することを特徴とするユーザ情報バックアップ方法。
【請求項７】
ユーザ情報のバックアップを行うためのユーザ情報記憶装置において、
通話回線を介して送信された信号を受信し、これを復調してユーザ情報を得るユーザ情報送受信手段と、
前記ユーザ情報を記憶するユーザ情報蓄積手段と、
データ通信回線を介してユーザ認証情報を受け取るデータ処理手段と、
データ処理手段からユーザ認証情報を受け取り、これを記憶する認証情報記憶手段と、
通話回線を介して送信された信号を受信した場合、その信号を発信した情報端末装置の発信番号と認証情報記憶手段に記憶されたユーザ認証情報を照合する制御手段と、を有することを特徴とするユーザ情報記憶装置。
【請求項８】
請求項１又は２に記載のユーザ情報バックアップシステムにおいて、前記システムはさらに料金処理装置を有し、この料金処理装置はユーザ情報記憶装置に接続されており、ユーザ情報記憶装置からの料金処理要求をうけてユーザに対する料金処理を行うことを特徴とする、ユーザ情報バックアップシステム。
【発明の詳細な説明】
【０００１】
【発明の属する技術分野】
本発明は、携帯電話器などの情報端末装置に記憶されているユーザ情報をバックアップするためのユーザ情報バックアップシステム、ユーザ情報バックアップ装置、ユーザ情報バックアップ方法、ユーザ情報記憶装置に関する。
【０００２】
【従来の技術】
近年における通信インフラの充実、および半導体装置の高性能化、小型化などに伴って、携帯電話器、ＰＤＡ（Ｐｅｒｓｏｎａｌ  Ｄａｔａ  Ａｓｓｉｓｔａｎｔ）などの通信機能を有する情報処理装置（以下、「情報端末装置」という）が一般ユーザに広く普及するようになってきた。
【０００３】
この情報端末装置は、徐々に高機能化、多機能化してきており、さまざまな情報を蓄積・利用を行うようになっている。例えば、情報端末装置の一形態である、携帯電話器においては、友人、取引先などの連絡先の電話番号などの一覧情報であるアドレス帳、会議・打ち合わせなどのスケジュールを格納するスケジュール帳、およびメモ帳などを電子情報として記憶し、必要に応じてこれらの情報の閲覧、記入、変更、保存など行えるようになっている。
【０００４】
上記のような、情報端末装置に格納されている情報（以下、「ユーザ情報」という）は、ユーザにとって非常に重要な情報であるが、何らかの事情、たとえば情報端末装置の紛失、故障などのトラブルによって、ユーザはこの重要な情報を失ってしまい、ユーザが個人的にメモにとっておくなどの予防手段を講じていない限り、回復することが不可能であった。そこで、かかるユーザ情報の喪失に備えて、ユーザ情報を情報端末装置から通信回線を介して情報記録機能を有するデータバックアップ装置に送信し、そこに保存させ、必要に応じて保存したデータをユーザに提供してユーザ情報の回復を図るという方法が提案されている。
【０００５】
【発明が解決しようとする課題】
このようなユーザ情報を情報端末装置からユーザ情報を保存する装置に通信回線を介して送信する場合、一般にデータ通信網を介して送信される。
【０００６】
情報端末装置として携帯電話器を用いる場合、携帯電話器は音声信号を送信する音声通信回線と、これとは別のデータ送信のためのデータ通信回線の双方を利用できるようになっている。データ通信回線を利用している間に着信があると携帯電話器はデータ回線による通信を中断して音声通信回線の処理を優先するようになっている。
【０００７】
上記のような携帯電話器において、データ通信回線を用いてユーザ情報のバックアップ処理若しくは回復処理を行う場合、これら処理を実行している間に音声回線からの着信があると、携帯電話器はユーザ情報の送受信を一時中断し、音声回線を介した通話処理を優先して行い、通話の終了後、中断したユーザ情報の送受信をデータ回線を通じて行う。
【０００８】
かかるユーザ情報の送受信の中断が生じると、データバックアップ装置側の処理をかかる中断に対処するよう設計する必要があり、データバックアップ処理が複雑となる問題点がある。
【０００９】
【課題を解決するための手段】
本発明は、上記課題を解決することを主たる目的としてなされたものであり、以下のような手段を用いることを特徴とする。
【００１０】
本発明の第１の態様は、情報端末装置に記憶されたユーザ情報のバックアップ情報を作成するためのユーザ情報バックアップシステムである。
【００１１】
このユーザ情報バックアップシステムは、ユーザ情報記憶装置と、情報端末装置と、ユーザ情報バックアップ装置とにより構成される。
ユーザ情報記憶装置は、たとえばユーザ情報をバックアップするためのデータセンタとして使用され、情報端末装置と所定の通信回線によって接続可能となっている。ユーザ情報バックアップ装置は、情報端末装置とデータ交換可能に接続可能である。この接続には、コネクタ、通信ケーブルなどを用いた物理的な接続であっても良いし、赤外線通信、無線通信（Ｂｌｕｅｔｏｏｔｈ，ワイヤレスＬＡＮなど）などの通信手段を情報端末装置、ユーザ情報バックアップ装置の双方に設けて接続しても良い。
【００１２】
ユーザ情報記憶装置は、通話回線を介して情報端末装置と通信可能であって、情報端末装置から送信されたユーザ情報を通話回線を介して受け取り、これを記憶する。
【００１３】
情報端末装置は、ユーザによって入力され蓄積されていくユーザ情報を記憶でき、少なくとも通話回線を介して前記ユーザ情報記憶装置と通信可能である。
【００１４】
ユーザ情報バックアップ装置は、前記情報端末装置と通信可能で有り、ユーザ情報のバックアップを行う場合、前記情報端末装置から前記ユーザ情報を受け取り、このユーザ情報を通話回線送信可能な信号に変換し、前記信号を情報端末装置に渡して、前記ユーザ情報記憶装置に送信させる。例えば、デジタルデータ信号であるユーザ情報を音声信号と同等の信号に変換し、これを情報端末装置の変調機能を用いて無線信号に変え、ユーザ情報記憶装置に送信する。ユーザ情報記憶装置は、受信した信号をデジタルデータに逆変換しユーザ情報を得、これを記憶しユーザからの要求に備えるようになっている。
【００１５】
本発明の第２の態様は、情報端末装置に格納されたユーザ情報をバックアップするためのユーザ情報バックアップ装置として成立する。
このユーザ情報バックアップ装置は、情報端末装置からユーザ情報を取得し、情報端末装置の機能を利用して通話回線を介してユーザ情報をユーザ情報記憶装置に送信させるように機能する。
ユーザ情報バックアップ装置は、通信手段と、ユーザ情報保持手段と、ユーザ情報変換手段とを有している。
通信手段はユーザ情報バックアップ装置が情報端末装置からユーザ情報を受け取り、また情報端末装置にユーザ情報を変換した信号やユーザ情報記憶装置への送信要求命令などを渡すための手段であって、コネクタ、通信ケーブルなどを用いた物理的な接続による通信手段であっても良いし、赤外線通信、無線通信（Ｂｌｕｅｔｏｏｔｈ，ワイヤレスＬＡＮなど）などの直接の接触を必要としない通信手段であっても良い。
【００１６】
ユーザ情報保持手段は、ユーザ情報を後の変換処理のために保持する機能を有し、ユーザ情報をユーザ情報記憶装置に送信した後も保持するようにして良いし、送信後これを消去するようにしても良い。
【００１７】
ユーザ情報変換手段は、デジタルデータであるユーザ情報を通話回線を用いて送信できるように、デジタルデータであるユーザ情報を音声信号と同等の信号に変換する。例えば、ユーザ情報変換手段は、モデムのようにデジタル信号を、音声帯域を使用するアナログ回線で送受信するようにデータを変調することできる手段である。
【００１８】
前記ユーザ情報変換手段によって変調された信号は、前記通信手段を介して情報端末装置に渡される。情報端末装置は、受け取った信号を無線送信するためにさらに所定の形式で変調し、無線信号に変換して送信する。なお、ユーザ情報記憶装置との接続処理（発呼、切断など）は情報端末装置の通話機能を利用して行う。
【００１９】
本発明の第３の態様は、情報端末装置に格納されたユーザ情報をバックアップするためのユーザ情報バックアップ装置として成立する。このユーザ情報バックアップ装置は、ユーザ情報記憶装置に記憶されたユーザ情報を情報端末装置にダウンロードさせる機能を有する。
【００２０】
ユーザ情報バックアップ装置は、情報端末装置からデータを受け取り、情報端末装置にデータを送るための通信手段と、前記通信手段を介して、情報端末装置が通話回線を介して受信した信号を受け取り、これを逆変換してユーザ情報を得るユーザ情報逆変換手段と、前記ユーザ情報逆変換手段からユーザ情報を受け取り、これを保持するユーザ情報保持手段と、前記ユーザ情報保持手段から前記ユーザ情報を前記通信手段を介して情報端末装置に渡し、情報端末装置に記憶させる制御部とを有することを特徴とする。
【００２１】
本発明の第４の態様は、情報端末装置に格納されたユーザ情報をバックアップするためのユーザ情報のバックアップ方法として成立する。
【００２２】
ユーザ情報を受け取るステップと、前記ユーザ情報を変換して、通話回線を介して送信するための信号を生成するステップと、前記送信信号を通話回線を介して送信させるステップと、を有することを特徴とする。
【００２３】
本発明の第５の態様は、情報端末装置に格納されたユーザ情報をバックアップするためのユーザ情報のバックアップ方法として成立する。
【００２４】
このユーザ情報のバックアップ方法は、ユーザ認証情報をデータ専用回線を介して受け取るステップと、ユーザ認証情報を記憶するステップと、ユーザ情報を受け取った場合前記ユーザ認証情報を参照してユーザ認証を行うステップと、を有することを特徴としている。ユーザ認証情報は、例えば、電話番号、暗証番号などユーザの識別を可能とする情報である。ユーザ情報バックアップ装置にキーボードエミュレーション機能を与え、情報端末装置の入力機能、とデータ通信機能を利用してユーザ認証情報をユーザ情報記憶装置に送信させ、ユーザ情報記憶装置は、ユーザにバックアップサービスを提供する際にこのユーザ認証情報を本人認証のために用いたり、あるいは課金・決済のための情報としても利用することができる。
【００２５】
本発明の第６の態様は、ユーザ情報のバックアップを行うためのユーザ情報記憶装置として成立する。
【００２６】
このユーザ情報記憶装置は、通話回線を介して送信された信号を受信し、これを逆変換（若しくは復調）してユーザ情報を得るユーザ情報送受信手段と、前記ユーザ情報を記憶するユーザ情報蓄積手段と、データ通信回線を介してユーザ認証情報を受け取るデータ処理手段と、データ処理手段からユーザ認証情報を受け取り、これを記憶する認証情報記憶手段と、通話回線を介して送信された信号を受信した場合、その信号を発信した情報端末装置の発信番号と認証情報記憶手段に記憶されたユーザ認証情報を照合する制御手段とを有することを特徴とする。
【００２７】
【発明の実施の形態】
次に、図面を参照しながら本発明の実施の形態を説明する。
［１．ユーザ情報バックアップシステムの構成例］
図１は、本発明の実施の形態にかかるユーザ情報バックアップシステムの全体構成を示すブロック図である。
【００２８】
このユーザ情報バックアップシステムは、ユーザ情報記憶装置１０１と、情報端末装置１０２と、ユーザ情報バックアップ装置１０３とを有している。
【００２９】
ユーザ情報記憶装置１０１と情報端末装置１０２は、通話回線１０６およびデータ通信回線１０７とにより接続可能となっている。
【００３０】
ここで、通話回線１０６は、データ通信回線１０７に対して優先される回線である。ここで「優先」とは、情報端末装置１０２がデータ通信回線１０７を介して通信を行っているときに、情報端末装置１０２に通話回線１０６を介して着信通知がなされると、前記データ通信回線１０７を介した通信を中断し、通話回線を介した通信を開始するように処理し、逆に情報端末装置１０２が通話通信回線１０６を介して通信を行っているときに、この情報端末装置１０２にデータ通信回線１０７を介した着信通知がなされても、前記通話回線１０６を介した通信の中断はされないことを言う。
【００３１】
次に、ユーザ情報記憶装置１０１、情報端末装置１０２、ユーザ情報バックアップ装置１０３それぞれの構成例について説明する。
【００３２】
［１．１．ユーザ情報記憶装置１０１の構成例］
図２は、ユーザ情報記憶装置１０１の構成例を示すブロック図である。ユーザ情報記憶装置１０１は、通話回線１０６を介して情報端末装置１０２から、ユーザ情報を受け取り、これを記憶する機能を有する。また、ユーザ情報記憶装置１０１は、データ通信回線を介してユーザ認証情報を受け取り、これを記憶し、このユーザ認証情報を参照して、ユーザ情報のバックアップ要求を受けた場合のユーザの本人認証、決済処理などを行う機能を有する。なお、ユーザ情報記憶装置１０１に記憶されたユーザ情報は、通信回線１０６，あるいはデータ通信回線１０７を介して情報端末装置１０２にダウンロードさせるようにしても良いし、あるいは携帯電話販売会社などに設置されたコンピュータ端末に送信させても良いし、ユーザ情報をある記憶媒体（メモリなど）に格納してこの記憶媒体をユーザに提供するようにしても良いし、その他任意の方法によってユーザ情報をユーザに渡すようにして良い。
【００３３】
ユーザ情報記憶装置１０１は、たとえばコンピュータ、ワークステーションなどの情報処理装置であって、演算処理装置（ＣＰＵ）、主メモリ（ＲＡＭ）、読出し専用メモリ（ＲＯＭ）、入出力装置（Ｉ／Ｏ）、ハードディスク装置等の外部記憶装置を具備している装置で構成されている。前記ＲＯＭ、もしくは外部記憶装置などに情報処理装置をユーザ情報記憶装置１０１として機能させるためのプログラム、もしくはユーザ情報バックアップ方法をコンピュータに実行させるためのプログラムが記憶されており、該プログラムを主メモリ上に載せ、ＣＰＵがこれを実行することによりユーザ情報記憶装置１０１が実現され、若しくはユーザ情報バックアップ方法が実行される。また、上記プログラムはからなずしも当該装置内の記憶装置に記憶されていなくともよく、磁気ディスク、光ディスク、光磁気ディスク、ＣＤ（Ｃｏｍｐａｃｔ  Ｄｉｓｃ）、ＤＶＤ（Ｄｉｇｉｔａｌ  Ｖｉｄｅｏ  Ｄｉｓｃ）などのコンピュータ読み取り可能なプロクラム記録媒体や、外部の装置（例えば、ＡＳＰ（アプリケーション・サービス・プロバイダのサーバなど）から提供され、これを主メモリに乗せる構成であっても良い。
【００３４】
ユーザ情報記憶装置１０１は、制御手段２０１と、ユーザ情報蓄積手段２０２と、ユーザ情報送受信手段２０３と、認証情報記憶手段２０４と、Ｗｅｂ制御手段２０５とを有している。
【００３５】
ユーザ情報蓄積手段２０２と、ユーザ情報送受信手段２０３と、認証情報記憶手段２０４と、Ｗｅｂ制御手段２０５とはそれぞれ制御手段２０１に接続されている。またユーザ情報送受信手段２０３は通話回線１０６に接続されており、Ｗｅｂ制御手段２０５は、データ通信回線１０７に接続されている。
【００３６】
上記手段はＣＰＵ、ＲＡＭ、ＲＯＭ、Ｉ／Ｏ、外部記憶装置のいずれか若しくはこれらの少なくとも２以上の組み合わせとプログラムによって構成され、それぞれが物理的に独立したハードウエアによって構成される必要はない。また、上記各部は必ずしも物理的に単一の装置内に集められている必要はなく、例えば相互にネットワークで接続された複数のコンピュータに上記各手段を分散して配置して構成してもかまわない。なお、上記各部が「接続されている」とは、データの受け渡しが可能であることを意味し、必ずしも物理的な接続がされていることを必要とするものではない。
【００３７】
次に各手段の機能について説明する。
制御手段２０１は、各手段間のデータの受け渡しの制御、ユーザの本人認証、決済処理を実行する。
ユーザ情報蓄積手段２０２は、ユーザ情報を読み出し可能に記憶する機能を有する。ユーザ情報はあるユーザを一意に特定できる情報（ユーザＩＤ、電話番号など）と関連づけられて記憶され、管理される。
ユーザ情報送受信手段２０３は、通信回線を介した通信を行うためのプロトコルを実行し、情報端末装置１０２から送信された信号であって、ユーザ情報を変換して生成された信号を受信し、これを逆変換してユーザ信号を生成し、制御手段２０１に渡す機能を有する。
認証情報記憶手段２０４は、ユーザ認証情報を記憶する機能を有する。
Ｗｅｂ制御手段２０５は、データ通信回線１０７を介した通信を行うためのプロトコルを実行し、情報端末装置１０２からとユーザ情報記憶装置１０１との接続を確立し、両装置間でのデータの送受信を行う。さらに、情報端末装置１０２から送信されたユーザ認証情報を受信し、これを制御手段２０１に渡す機能を有する。制御手段２０１は、ユーザ認証情報を受け取ると、これを認証情報記憶手段２０４に渡して記憶させる。
【００３８】
［１．２．情報端末装置１０２の構成例］
次に、情報端末装置１０２の構成例について、図３を参照しながら説明する。図３は、情報端末装置１０２の構成例を示すブロック図である。
【００３９】
情報端末装置１０２は、通信回線１０６及びデータ通信回線１０７を介してユーザ情報記憶装置１０１と接続可能であり、ユーザ情報記憶装置１０１に音声データ若しくはデジタルデータを送信することが可能な装置である。またユーザ情報を記憶する機能も有している。
【００４０】
情報端末装置１０２において、アンテナ３０９は無線電波の送受信を行い、アンテナ３０９より受信した電波はスイッチ３１０を介して通話送受信系３０８で信号処理される。通話送受信系３０８で周波数変換処理、復調処理等の信号処理をされた信号は音声処理部３０４に伝送され、音声処理部３０４は伝送された信号の音声処理を行って音声信号を再生し、これをレシーバ３０６に与え、レシーバ３０６から音声を放射させる。
【００４１】
また、マイクロフォン３０５は音声信号を受け、音声信号を音声処理部３０４に与える。音声処理部３０４はマイクロフォン３０５からの音声を信号処理して通話送受信系３０８に伝送する。通話送受信系３０８は音声処理部３４より得た信号を無線送信可能にするため、変調処理、周波数変換処理等の信号処理した後、スイッチ３１０を介してアンテナ３０９からの電波として送信する。
データ通信送受信系３０７は、プロセッサ３０１から送信対象となるデータを受け取り、これを所定の形式（データパケットなど）に変換し、さらに無線送信可能な信号に変換し、周波数変換してスイッチ３１０を介してアンテナ３０９に供給し、アンテナ３０９はこれを電波として送信する。
【００４２】
また、データ通信送受信系３０７は、アンテナ３０９が受信した信号をスイッチ３１０を介して受信し、これを周波数変換、復調して元のデータを再生し、これをプロセッサ３０１に渡す。
【００４３】
スイッチ３１０、通話送受信系３０８、データ通信送受信系３０７及び音声処理部３０４はプロセッサ３０１からの回路制御信号によって制御される。プロセッサ３０１はクロック信号に基づき動作し、回路制御信号ＳＣを出力するとともに、表示部３１１の表示制御、入力部３１２からの入力の受理、記憶部３０２に対する読み書き等を行う。
【００４４】
表示部３１１は、入力部３１２からの入力や受信電界強度などの情報を表示し、入力部３１２は電話番号入力等、パスワード入力を受けこれをプロセッサ３０１に渡す。記憶部３０２は電話番号等のユーザ情報３０３や、携帯情報機器１固有の識別（ＩＤ）情報などを記憶している。
また、プロセッサ３０１は、ユーザ情報バックアップ装置１０３から通信手段１０４を介してユーザ情報通信要求を受け取ると、記憶部３０２からユーザ情報を読み出し、通信手段１０４を介してユーザ情報バックアップ装置１０３に送る。また、プロセッサ３０１は、ユーザ情報バックアップ装置１０３からユーザ情報を変換して得られた信号を通信手段１０４を介して受け取り、これを通話送受信系に渡し、ユーザ情報記憶装置１０１に宛てて送信させる。
【００４５】
また、プロセッサ３０１は、キーボードエミュレーション機能を有するユーザ情報バックアップ装置１０３または入力部３１２から入力を受け付けた場合、入力されたデータを、通信手段１０４を介してユーザ情報バックアップ装置１０３に渡す。
【００４６】
上述のような構成により、情報端末装置１０２は、ユーザ情報バックアップ装置１０３と協働することにより、通話回線を介したユーザ情報の送信装置として機能すると共に、ユーザ認証情報の入力装置、データ通信回線を介したユーザ情報の送信装置として機能する。
【００４７】
［１．３．ユーザ情報バックアップ装置１０３の構成例］
次に、ユーザ情報バックアップ装置１０３の構成例について、図４を参照しながら説明する。図４は、ユーザ情報バックアップ装置１０３の構成例を示すブロック図である。
【００４８】
ユーザ情報バックアップ装置１０３は、前記ユーザ情報を受け取り、前記ユーザ情報を通話回線を介して送信可能な信号に変換し、前記信号を情報端末装置１０２に渡して、前記ユーザ情報記憶装置１０１に送信させる機能を有する。
【００４９】
ユーザ情報バックアップ装置１０３は、制御手段４０１と、通信手段１０５と、ユーザ情報保持手段４０３と、ユーザ情報変換手段４０５と、入力手段４０４とを有している。通信手段１０５、ユーザ情報保持手段４０３、ユーザ情報変換手段４０５、入力手段４０４はそれぞれ制御手段４０１に接続されている。
【００５０】
ユーザ情報保持手段４０３は、ユーザ情報４０２を記憶可能であると共に、記憶したユーザ情報を要求に応じて渡す。ユーザ情報保持手段４０３は、たとえばメモリ等の記憶装置及びその記憶装置の制御装置によって構成される。
【００５１】
通信手段１０５は、情報端末装置１０２とユーザ情報バックアップ装置１０３との間でユーザ情報４０２、ユーザ情報読み出し命令、ユーザ情報を変換した信号を送受信させる機能を有する。通信手段１０５は、例えば通信ケーブル、あるいは赤外線通信装置や無線ＬＡＮカードなどの通信装置によって構成され得る。
【００５２】
ユーザ情報変換手段４０５は、ユーザ情報保持手段４０３に格納されたユーザ情報を、情報端末装置１０２の音声処理部３０４若しくは通話送受信系３０８により処理可能な信号に変換して出力する機能を有する。
【００５３】
入力手段４０４は、ユーザからの入力を信号に変換して、制御手段４０１にバックアップ処理を行う命令を伝えたり、ユーザ認証情報の送信処理の開始を伝えたりする機能を有する。入力手段４０４としては、ユーザ情報バックアップ装置１０３を小型化する上でスイッチ、ボタンなどの簡単な構成のものを用いることが好ましいが、その他の入力装置、例えばキーボード、テンキー、ポインティングデバイス等を入力手段４０４として用いることも可能である。
【００５４】
制御手段４０１は、通信手段１０５、ユーザ情報保持手段４０３、ユーザ情報変換手段４０５に制御信号を送り、制御を行う。
【００５５】
制御手段４０１は、入力手段４０４からユーザ情報のバックアップ処理開始の命令を受け取ると、通信手段１０５を介して情報端末装置１０２にユーザ情報送信の要求を行う。情報端末装置１０２から通信手段１０５を介してユーザ情報４０２を受け取ると、制御手段４０１は、これをユーザ情報保持手段４０３に記憶させる。次に、制御手段４０１は、通信手段１０５を介して情報端末装置１０２に、通話回線１０６を介してユーザ情報記憶装置１０１に接続するように要求する。情報端末装置１０２から接続が確立した通知を受け付けると、制御手段４０１は、ユーザ情報４０２をユーザ情報変換手段４０５に渡し、ユーザ情報４０２の変換を行わせる。変換された信号を制御手段４０１は受け取り、これを通信手段１０５を介して情報端末装置１０２のプロセッサ３０１に渡し、この信号を通話回線１０６を介して送信するように要求する。プロセッサ３０１は受け取った信号を音声処理部３０４または通話送受信系３０８に送り、音声処理部３０４または通話送受信系３０８はこの信号を通常の音声信号を処理する場合と同様に処理してアンテナ３０９より送信させる。
【００５６】
［２．ユーザ情報バックアップシステムの動作例］
次に、上記ユーザ情報バックアップシステムの動作例について説明する。
【００５７】
［２．１．ユーザ登録、およびユーザ情報バックアップ処理時の動作例］  まず、図５を参照しながらユーザ登録、およびユーザ情報バックアップ処理時の動作例を説明する。図５は、上記処理時におけるユーザ情報バックアップシステムのシーケンス図である。
【００５８】
まず、ユーザはユーザ情報バックアップ装置１０３と情報端末装置１０２とをそれぞれの通信手段１０５，１０４を用いて接続しておく。つぎにユーザ情報バックアップ装置１０３の入力手段４０４からユーザ登録処理要求を入力する。
【００５９】
ユーザ情報バックアップ装置１０３の制御手段４０１は、ユーザ登録処理要求を受け付けると、情報端末装置１０２にユーザ登録処理を行うよう要求する（ステップＳ１０１）。すると、情報端末装置１０２は、装置内に記憶されている機器情報とユーザからの入力による入力情報を合わせてユーザを一意に識別できるユーザ認証情報を作成する。この機器情報には、情報端末装置の個体識別番号、若しくはユーザ情報バックアップ装置１０３の個体識別番号などユーザが直接操作できない情報が用いられる。また、上記入力情報には、情報端末装置の電話番号と数字列によるパスワードなどのようにユーザ自身しか知り得ない情報を用いてもよい。このとき、ユーザ情報バックアップ装置１０３の制御手段４０１はキーボードエミュレーションを実行し、情報端末装置１０２に上記入力情報を入力してもよい（ステップＳ１０２）。
【００６０】
機器情報を含むユーザ認証情報を情報端末装置１０２が受け付けると、情報端末装置１０２のプロセッサ３０１は、これらの情報をデータ通信送受信系３０７を用いてユーザ情報記憶装置１０１に転送する（ステップＳ１０３）。
【００６１】
上記情報はデータ通信回線１０７を介してユーザ情報記憶装置１０１に送信され、ユーザ情報記憶装置１０１はＷｅｂ制御手段２０５によりこれら情報を受け取り、その制御手段２０１は、これら情報を認証情報記憶手段２０４に記憶させる（ステップＳ１０４）。
【００６２】
以上でユーザ登録処理が完了し、この後ユーザはユーザ情報のバックアップ処理をユーザ情報記憶装置に要求することが可能となる。
【００６３】
次に、ユーザからユーザ情報のバックアップをユーザ情報記憶装置１０１に要求した場合の処理について説明する。
まず、ユーザはあらかじめユーザ情報バックアップ装置１０３と情報端末装置１０２とをそれぞれの通信手段１０５，１０４を用いて接続しておく。接続が完了した後、ユーザ情報バックアップ装置１０３の入力手段４０４からユーザ情報バックアップ処理要求を入力する。例えば、ユーザ情報バックアップ装置１０３に設けられた、ユーザ情報バックアップ処理に割り当てられたボタンを押下する。
【００６４】
ユーザ情報バックアップ装置１０３の制御手段４０１は、ユーザ情報バックアップ処理要求を入力手段４０４から受け付けると、情報端末装置１０２にユーザ情報の送信を行うよう要求する（ステップＳ１０５）。
【００６５】
この要求を受け取った情報端末装置１０２のプロセッサ３０１は、その記憶部３０２からユーザ情報３０３のデータを読み出し、これを通信手段１０４を介してユーザ情報バックアップ装置１０３に送信する（ステップＳ１０６）。
【００６６】
送信されたユーザ情報３０３のデータは、通信手段１０５を介してユーザ情報バックアップ装置１０３の制御手段４０１が受け取り、制御手段４０１はこのユーザ情報３０３のデータをユーザ情報保持手段４０３に記憶させる。また、制御手段４０１は、情報端末装置１０２に通話送受信系３０８により、ユーザ情報記憶装置との接続を通話回線１０６を介して確立するように要求する。通話回線１０６を介した接続が確立すると、制御部４０１は、ユーザ情報変換手段４０５にユーザ情報のデータを渡し、これを変換処理するよう要求し、ユーザ情報変換手段４０５は所定の変換を行い、この変換により得られた信号を制御部４０１に渡す（ステップＳ１０７）。
【００６７】
次に、制御部４０１は、通信手段１０５，１０４を介して情報端末装置１０２のプロセッサ３０１に前記信号を渡し、これをユーザ情報記憶装置１０１に送信するよう要求する（ステップＳ１０８）。
【００６８】
この信号を受け取った情報端末装置１０２のプロセッサ３０１は、この信号を音声処理部３０４，もしくは通話送受信系３０８に渡し、これら信号の処理を行わせる（ステップＳ１０９）。この信号処理はマイク３０５からの音声信号若しくは音声処理部３０４から受け取った信号を処理する場合と同様の処理となる。
【００６９】
音声処理部３０４及び通話送受信系３０８によって処理された信号は無線信号となって放射され、通話回線１０６を介してユーザ情報記憶装置１０１に送信される（ステップＳ１１０）。
【００７０】
上記送信された信号は通話回線１０６を介してユーザ情報記憶装置１０１に送信され、ユーザ情報記憶装置１０１はユーザ情報送受信手段２０３によりこれら信号を受け取り、この信号を逆変換してユーザ情報を再生する。再生されたユーザ情報は制御手段２０１に渡され、制御手段２０１はこのユーザ情報をユーザ情報蓄積手段２０２に記憶させる（ステップＳ１１１）。
【００７１】
なお、制御部２０１は、この信号を受信した際に情報端末装置１０２の発信番号などをチェックし、これと一致するユーザ認証情報が認証情報記憶手段２０４に格納されているか否かを調べ、一致するユーザ認証情報を発見できた場合のみ、このユーザ情報をユーザ情報蓄積手段２０２に記憶させるなどして、登録されたユーザからのバックアップ処理を行うようにしても良い。
【００７２】
以上により、情報端末装置１０２に格納されていたユーザ情報のバックアップ情報（ユーザ情報の複製）をユーザ情報記憶装置１０１に保管する処理が完了する。
【００７３】
［２．２．ユーザ情報記憶装置が自動的にユーザ情報バックアップ処理を要求する場合］
次に、ユーザ情報記憶装置１０１が自動的にユーザ情報バックアップ処理を要求する場合の本システムの動作について図６を参照しながら説明する。図６は、ユーザ情報記憶装置１０１が自動的にユーザ情報バックアップ処理の要求を発する場合のシーケンス図である。
【００７４】
まず、ユーザ情報記憶装置１０１の制御手段２０１は所定のタイミングが到来したか否かをチェックする（ステップＳ２０１）。ここで用いる所定のタイミングは、どのようなタイミングであってもよく、例えば一日一回所定時間（例えば午前６時、最近のユーザ情報のバックアップが行われてから所定期間が経過した場合など）が到来したタイミングで情報端末装置１０２にユーザ情報バックアップ処理を要求する（ステップＳ２０２）。この要求は通話回線１０６又はデータ通信回線１０７を用いて送信される。但し、以下の理由によりこの要求は通話回線１０６を用いた送信が好ましい。すなわち、前記要求をデータ通信回線１０７を用いて送信する場合、他の通話などにより通話回線１０６が使用中であるときには、ユーザ情報バックアップ装置１０３はユーザ情報のバックアップ処理を行なおうとするが、通話回線１０６がふさがっているので、ユーザ情報の送信ができず、通話回線１０６が開くまでユーザ情報の送信を待機するなどの制御を行う（ステップＳ２０３）必要が生じる。一方、前記要求を通話回線１０６を用いて送信する場合は、他の通話などにより通話回線１０６が使用中であるときは、この要求は情報端末装置１０２に到達せず、ユーザ情報バックアップ装置１０３がユーザ情報のバックアップ処理を行なうことはない。したがって通信回線１０６が開くまでユーザ情報の送信を待機するなどの制御を行うことなく、通話回線１０６がふさがっているにもかかわらずユーザ情報のバックアップ処理を行ってしまうという不都合を回避できることになる。
【００７５】
かかる要求を受け取った情報端末装置１０２のプロセッサ３０１は、その通信手段１０４を介してユーザ情報バックアップ装置１０３にバックアップ処理開始要求を送信する（ステップＳ２０４）。情報端末装置１０２とユーザ情報バックアップ装置１０３とが接続されている場合は、ユーザ情報バックアップ装置１０３の制御手段４０１は、図５に示すステップ１０５と同様に、ユーザ情報要求を情報端末装置１０２に送る（ステップＳ２０５）。以降図５に示すステップＳ１０６からＳ１１１と同様の処理が実行される（ステップＳ２０６〜Ｓ２１１）。これにより、ユーザ情報のバックアップ処理が完了する。
【００７６】
なお、情報端末装置１０２とユーザ情報バックアップ装置１０３とが接続されていない場合は、情報端末装置１０２は、ユーザ情報要求（ステップＳ２０５）を受け取ることはないので、以降の処理は行わない。
【００７７】
［３．利点］
本実施の態様によれば、情報端末装置１０２そのもの若しくは情報端末装置１０２に格納されたユーザ情報の一部若しくは全部を失った場合でも、ユーザ情報の回復を容易に行うことが可能である。
【００７８】
他の通信回線に優先される通話回線を用いてユーザ情報の送信を行うので、他の回線による割り込みによりユーザ情報の伝送を中断されることがなく、中断が生じた場合のユーザ情報を扱うための複雑な処理をユーザ情報記憶装置１０１側若しくはユーザ情報バックアップ装置１０３側のいずれにも設ける必要がなくなり、システムの構成を簡単化することが可能となる。
【００７９】
また、ユーザ情報の送信を情報端末装置１０２の送信機能の一部又は全部を用いて行うので、ユーザ情報バックアップ装置１０３の構成を簡単なものとし、小型化、低価格化を図ることができる。
【００８０】
また、本システムにおけるユーザ登録処理をｉモード（携帯電話データ専用通信）を利用して有料番組契約を行えば、別途システムに課金手段を設けることなく、本システムの利用料の収集が可能となる。
【００８１】
［３．課金サーバ若しくは料金サーバを有するユーザ情報バックアップシステム］
上記のようなユーザ情報バックアップのサービスを有料でユーザに提供することも可能である。有料でユーザ情報バックアップのサービスを提供する場合の、ユーザ情報バックアップシステムの構成例を図７に示す。
【００８２】
図７に示す構成例は、図１に示すユーザ情報バックアップシステムとほぼ同様の構成であるが、ユーザ情報記憶装置１０１に接続された料金請求処理装置７０１をさらに有している点が異なっている。
【００８３】
ユーザ情報記憶装置１０１の制御部２０１は情報端末装置１０２から通話回線１０６を介して着信がありユーザ情報を受信したことを検出し、その情報端末装置１０２のユーザを特定する情報を料金請求処理装置７０１に知らせる。ユーザを特定する情報は、たとえば発信番号であっても良いし、ユーザＩＤでも良いし、クレジットカード番号でも良い。
【００８４】
料金請求処理装置７０１は、さらに決済機関（銀行、クレジット会社など）の決済システム（図略）と接続されており、この決済システムにユーザを特定する情報及び、ユーザ情報バックアップサービスの利用料請求処理要求を送信する。これを受けた決済システムはそのユーザの口座から所定の利用料の引き落とし等の決済処理を実行する。
【００８５】
上記の説明では、通話回線１０６を使用した場合に料金請求をする構成としたが、本発明では、これに限られることなくデータ通信回線１０７を利用した場合にユーザ情報記憶装置１０１の制御部２０１が情報端末装置１０２からデータ通信回線１０７を介して着信があったときに、その情報端末装置１０２のユーザを特定する情報を料金請求処理装置７０１に知らせるようにしてもよい。
【００８６】
また、この有料でユーザ情報バックアップのサービスを提供する場合の、ユーザ情報バックアップシステムの別の構成例としては、通話回線１０６又はデータ通信回線１０７を提供する通信事業者の課金システムを料金請求処理装置７０１として用いる構成としても良い。この場合料金請求処理装置７０１として機能する課金システムは、情報端末装置１０２からユーザ情報記憶装置１０１への接続がなされた場合、この情報端末装置１０２のユーザに対して通常の通話料、パケット通信料など通常一般ユーザに請求する料金に加えてユーザ情報バックアップのサービスの利用量をユーザに課金するようにあらかじめプログラムされていればよい。
【００８７】
かかる構成により、ユーザ情報バックアップのサービスを提供することにより、サービス提供者は利益を上げることが可能となる。
【００８８】
【発明の効果】
情報端末装置に対する他の通信によりユーザ情報の送信を中断されることなく、ユーザ情報のバックアップ処理を行うことのできるユーザ情報バックアップシステム、ユーザ情報バックアップ装置、ユーザ情報バックアップ方法、ユーザ情報記憶装置を提供できる。
【図面の簡単な説明】
【図１】本発明の実施の形態にかかるユーザ情報バックアップシステムの全体構成を示すブロック図である。
【図２】ユーザ情報記憶装置の構成例を示すブロック図である。
【図３】情報端末装置の構成例を示すブロック図である。
【図４】ユーザ情報バックアップ装置の構成例を示すブロック図である。
【図５】ユーザ情報バックアップシステムのシーケンス図である。
【図６】ユーザ情報バックアップシステムのシーケンス図である。
【図７】有料でユーザ情報バックアップのサービスを提供する場合の、ユーザ情報バックアップシステムの構成例を示す図である。
【符号の説明】
１０１  …  ユーザ情報記憶装置
１０２  …  情報端末装置
１０３  …  ユーザ情報バックアップ装置
１０６  …  通話回線
１０７  …  データ通信回線
４０１  …  制御手段
４０２  …  通信手段
４０３  …  ユーザ情報保持手段
４０５  …  ユーザ情報変換手段
【図１】
2004326385.tif 000003
【図２】
2004326385.tif 000004
【図３】
2004326385.tif 000005
【図４】
2004326385.tif 000006
【図５】
2004326385.tif 000007
【図６】
2004326385.tif 000008
【図７】
2004326385.tif 000009